(57)【特許請求の範囲】
【請求項１】
足裏部で足指の付け根位置あるいは足指の付け根から所要寸法を隔てた位置から着用状態で土踏まずの部分を含む足裏中央部を越えて踵側へ縦方向に延在して足指側から踵側に引き寄せられる緊締力を負荷する足裏高パワー部と、
前記足裏高パワー部と平行に設けられ、少なくとも親指の付け根位置あるいは親指の付け根から所要寸法を隔てた位置から踵側へ縦方向に延在して親指側を内側に引き寄せる緊締力を負荷する足裏低パワー部を備え、
前記足裏高パワー部の緊締力は前記足裏低パワー部の緊締力より大とし、
前記足裏高パワー部と足裏低パワー部とにより前記土踏まずの部分が足指側から踵側にかけた縦アーチと横アーチを形成して、該土踏まずの部分をドーム状にする構成としていることを特徴とする足コンディショニングウエア。
【請求項２】
前記足裏高パワー部は、各指の付け根の間の指間部の位置に対応する複数の分割高パワー部に分割していると共に、前記足裏低パワー部も前記分割高パワー部の間で且つ各指位置に対応する複数の分割低パワー部に分割しており、
前記指間部を踵側へ引き寄せる前記分割高パワー部と、足指自体は踵側へ引っ張られないようにする前記分割低パワー部とが交互に且つ平行な直線状で縦方向に延在していることを特徴とする請求項１に記載の足コンディショニングウエア。
【請求項３】
筒状の足甲部と、該足甲部に連続する筒状の足首部と、該足甲部と足首部に連続する踵部と、全足指を個別に覆う分離した５つの指袋を備えた指付きソックスタイプとしている請求項１または請求項２に記載の足コンディショニングウエア。
【請求項４】
前記足裏高パワー部と足裏低パワー部の踵側先端は、踵を囲む踵側高パワー部の足裏部に接する位置とし、該踵側高パワー部の緊締力を足裏高パワー部に伝えて前記土踏まず部分に前記縦アーチを形成する構成としている請求項１乃至請求項３のいずれか１項に記載の足コンディショニングウエア。
【請求項５】
前記踵側高パワー部は、足首甲部の左右両側から踵を挟む上側レッグ部と下側の前記足裏部へとＹ字状に分岐して連続する帯状部からなり、かつ
前記足首甲部では足首中心位置で上下に分離し、下足首甲部から足裏部へと環状に連続する第一部分と、上足首甲部からレッグ側へと環状に連続する第二部分とからなり、前記足首中心位置には足首の屈曲運動時の支点となる細幅の足首中心低パワー部を設けている請求項４に記載の足コンディショニングウエア。
【発明の詳細な説明】
【技術分野】
【０００１】
本発明は、靴下などの足コンディショニングウエアに関し、足の状態を良好に保ち、足の疲れにくさと足首の安定性の向上を図るものである。
【背景技術】
【０００２】
健康で正常な足は、図８（Ａ）（Ｂ）に示すように、足裏側で縦アーチＡと横アーチＢがしっかりと形成され、足裏の土踏まずは、親指の付け根、小指の付け根、踵の３点を結ぶ三角ドームの天井のような形態となる。このドーム形状により、足の指で地面をしっかり蹴り前へ前進する駆動性と、体重を分散し衝撃を吸収する緩衝性が付与される。従って、足の疲れにくさと歩き易さには、前記ドーム形状を形成する縦アーチＡと横アーチＢの形成・維持が重要となり、逆に、土踏まずのドーム形状がくずれ、扁平化すると、歩き難く、疲れやすい状態となる。また、足の着地時のぐらつきも疲労や怪我の原因となるため、着地に大きな影響を与える踵から足首にかけての安定性も重要となる。
【０００３】
これらの課題を解決するために、サポータやテーピングを使うことが考えられるが、外観等の問題から必ずしも好まれない。また、靴のクッション機能を利用することも考えられるが、靴は用途により多種多様であり、クッション機能だけに注視して靴を選ぶことにも限界がある。
【０００４】
一方で、従来より、特殊な機能が付与された様々な靴下やサポータが提案されている。例えば、実開平８−１５６号（特許文献１）では、図９に示すように、靴下１の、つま先に近い横中足靭帯と中足関節にあたる部分に締め付けの強い中足関節固定保持部２を形成することが提案され、これにより、足の横アーチが復元され、外反した親指なども正常な位置に戻すことができるとしている。
【０００５】
また、実開平７−３３９１３号（特許文献２）では、図１０に示すように、足甲を被覆するサポータ本体５の先端開口に、各足指の股部に接触可能な指間ベルト６を設けると共に、該サポータ本体５の足裏面に皮膚押圧用突子７を備えることが提案され、皮膚押圧用突子７により、体重に比例した足裏刺激による健康増進を図ることができるとしている。
さらに、前記指間ベルト６の内面に薬剤パッドを着脱自在に設けることにより、水虫薬を足指間に定常的に供給することも提案されている。
【０００６】
しかしながら、いずれの従来例も、縦アーチＡと横アーチＢによる土踏まずのドーム形状の形成に着目したものではないうえ、足首の安定性向上も考慮されていず、足の疲れにくさや歩きやすさを向上させるものではない。
【０００７】
【特許文献１】実開平８―１５６号公報
【特許文献２】実開平７−３３９１３号公報
【発明の開示】
【発明が解決しようとする課題】
【０００８】
本発明は前記問題に鑑みてなされたもので、着用するだけで、足裏の土踏まずの部分で縦アーチと横アーチが同時に形成され、足裏のドーム形状を維持でき、歩き易さと疲れ難さを向上させることができる足コンディショニングウエアの提供を課題としている。
【課題を解決するための手段】
【０００９】
前記課題を解決するために、本発明は、足裏部で足指の付け根位置あるいは足指の付け根から所要寸法を隔てた位置から着用状態で土踏まずの部分を含む足裏中央部を越えて踵側へ縦方向に延在して足指側から踵側に引き寄せられる緊締力を負荷する足裏高パワー部と、
前記足裏高パワー部と平行に設けられ、少なくとも親指の付け根位置あるいは親指の付け根から所要寸法を隔てた位置から踵側へ縦方向に延在して親指側を内側に引き寄せる緊締力を負荷する足裏低パワー部を備え、
前記足裏高パワー部の緊締力は前記足裏低パワー部の緊締力より大とし、
前記足裏高パワー部と足裏低パワー部とにより前記土踏まずの部分が足指側から踵側にかけた縦アーチと横アーチを形成して、該土踏まずの部分をドーム状にする構成としていることを特徴とする足コンディショニングウエアを提供している。
【００１０】
前記構成からなる本発明の足コンディショニングウエアは、着用されたときに、足裏高パワー部の緊締力によって、足のつま先側が踵側へ自然に引っ張られる。これにより、足指の付け根付近全体が踵側へと引き寄せられ、足裏の縦アーチを作ることができる。
前記足裏高パワー部は、足裏のつま先側が踵側に引っ張られる構成であればよく、足指の付け根位置から直接に足裏中央部を越えて踵側へと向けて縦方向に配置していてもよいし、足指の付け根位置から少し離れた位置から踵側へと縦方向に配置していてもよい。
【００１１】
また、親指に連続する位置では足裏低パワー部を設けて、踵側へと縦方向へ引っ張られる力を弱めると共に、指間部に連続する位置では足裏高パワー部を設けているため、親指側が内側に引っ張られ、親指と小指が互いに近づくように足裏中央部に向うこととなり、横アーチが形成される。
このように、足裏低パワー部は少なくとも親指に連続する縦方向に設けることが必要である。親指と小指の両端の指を強く引き寄せるためには、小指に連続する縦方向にも足裏低パワー部あるいは小指に連続する第４指に連続する縦方向に連続する足裏低パワー部を設けることが好ましい。
【００１２】
前記のように、指間部に対応する位置に足裏高パワー部を設けると共に親指に連続する位置に足裏低パワー部を設けていることで、着用時に足裏側に横アーチと前記縦アーチが同時に形成されることとなる。よって、足裏には土踏まずを中心に三角ドームの天井のような形が形成、維持されるため、足の指で地面をしっかり蹴って前進する駆動性と、衝撃の吸収性とが長時間発揮され、歩き易く、疲れ難い状態を維持することができる。
【００１３】
前記足裏高パワー部および前記足裏低パワー部は、編地で形成することが好ましく、弾性糸の使用や編糸の太さや本数、あるいは編組織の変更により、編地の柔軟性及び密度を調整するほか、伸縮性を有するストレッチテープ生地を重ねて縫着して、部分的に緊締力を強化し、逆に緊締力を弱める方法で高パワー部と低パワー部とを所要位置に設けている。
また、本発明では、高パワー部と低パワー部とを平行に設けているため、編地の編成が容易にできる利点がある。
【００１４】
具体的には、足裏高パワー部および足裏低パワー部の編地の緊締力は、後述する方法で評価を行い、比較的高いサポート力が必要とされるスポーツタイプの足コンディショニングウエアでは、足裏高パワー部の緊締力が４．８５〜５．５Ｎ、足裏低パワー部の緊締力が３．６７〜４．１６Ｎとすることが好ましい。
また、通常着用の締め付け感を軽減した緩やかなサポート力を付与したい場合には、足裏高パワー部の緊締力が１．８５〜２．２０Ｎ、足裏低パワー部の緊締力が１．５８〜１．７５Ｎとなるようにすることが好ましい。
【００１５】
前記足裏高パワー部は、各指の付け根の間の指間部の位置に対応する複数の分割高パワー部に分割していると共に、前記足裏低パワー部も前記分割高パワー部の間で且つ各指位置に対応する複数の分割低パワー部に分割しており、
指間部を踵側へ引き寄せる前記分割高パワー部と各足指自体は踵側へ引っ張らない分割低パワー部とが交互に且つ平行な直線状で縦方向に延在していることが好ましい。
【００１６】
前記のように、高パワー部を各指間部に夫々設けると共に各指に対応して位置は低パワー部としていることで、各足指自体は踵側へと引っ張られず、各足指の動きは規制されないため、独立した挙動性を保持できると着用感を高める事ができる。
さらに、指間部に高パワー部を夫々設けると共に、指の位置の対応する部分に低パワー部を設け、足裏高パワー部を互いに独立させて個別に緊締力を発揮させるため、挙動時における足裏の筋肉の移動に追従した引張力を負荷させて、挙動に対応した縦アーチおよび横アーチを形成しやすくできる。
【００１７】
本発明の足コンディショニングウエアは、筒状の足甲部と、該足甲部に連続する筒状の足首部と、該足甲部と足首部に連続する踵部と、全足指を個別に覆う分離した５つの指袋を備えた指付きソックスタイプとしていることが好ましい。
本発明の足コンディショニングウエアでは、足指側を踵側へと引っ張る機能を付与していることから、足指側（トウ側）を一体化すると、足指側全体が踵側へと引張されやすくなり、各指の独立した挙動が規制される恐れがある。よって、指付きタイプとすることで、各指に対する踵側への引張力の影響を極力低減している。
なお、全ての指を独立して覆う５つの指袋に分けることが好ましいが、必ずしも限定されない。例えば、指袋を２つとして、親指と他の足指を分けた足袋型としてもよいし、指袋を３つとして、親指と薬指に各個別の指袋を備えもよい。これにより、最も外側と最も内側の指間に指間が係止されるため、足裏高パワー部に引っ張られたときに、縦アーチを効果的に形成できる。また、該足裏高パワー部の緊締力が指間に効果的に伝わるため、縦アーチを形成することができる。
【００１８】
前記足裏高パワー部と足裏低パワー部の踵側先端は、踵を囲む踵側高パワー部の足裏部に接する位置とし、該踵側高パワー部の緊締力を足裏高パワー部に伝えて前記土踏まず部分に前記縦アーチを形成する構成としていることが好ましい。
このように踵側先端を配置することで、踵側高パワー部の緊締力が前記足裏高パワー部を介して前記指間係止部に効果的に伝わるため、該指間係止部は指股に係止された状態で踵側に引っ張られる。これにより、足指の付け根全体が踵側へと引き寄せられ、足裏の縦アーチを作ることができる。
【００１９】
前記踵側高パワー部は、足首甲部の左右両側から踵を挟む上側レッグ部と下側の前記足裏部へとＹ字状に分岐して連続する帯状部からなり、かつ
前記足首甲部では足首中心位置で上下に分離し、下足首甲部から足裏部へと環状に連続する第一部分と、上足首甲部からレッグ側へと環状に連続する第二部分とからなり、前記足首中心位置には足首の屈曲運動時の支点となる細幅の足首中心低パワー部を設けていることが好ましい。
このような構成とすることで、本発明の足コンディショニングウエアは、着用されたときに、踵側高パワー部が踵に引っ掛かる構造となっているうえ、前記第一部分の緊締力が前記足裏高パワー部を介して前記足指の付け根位置に効果的に伝わるため、該足指の付け根位置は指間部に係止された状態で踵側に引っ張られる。これにより、足指の付け根全体が踵側へと引き寄せられ、足裏の縦アーチを作ることができる。
前記踵側高パワー部を設けることにより、踵付近を中心にＹ字状のサポートラインが形成され、踝を中心とする足首および踵の安定性を高めることができるため、着地時の足首のぐらつきを軽減でき、疲れ難い状態を維持できる。
【００２０】
また、前記足首中心位置に細幅の足首中心低パワー部を設けることにより、足首および踵の安定性を高めつつ、足首甲部の締め付けを緩やかにすることができ、足首の屈曲運動時に屈曲支点として柔軟に対応することが可能となる。
なお、前記踵側高パワー部は、足首中心に位置する細幅の低パワー部を設けて上下に分離していることが好ましいが、分離していない構成としてもよい。
【００２１】
前記踵側高パワー部の形成方法も、足裏高パワー部と同様に、弾性糸を編み込んだり、編糸の太さや本数、あるいは編組織を変更するほか、伸縮性を有するストレッチテープ生地を重ねて縫着して、部分的に緊締力を強化する方法などがある。
【００２２】
前記足コンディショニングウエアは、上述したような全足指を個別に覆う分離した５つの指袋を備えた指付きソックスタイプとすることが最も好ましいが、例えば、全足指と踵を露出するサポータタイプとして、前記指間係止部は、足指間を通って足表部と足裏部とを連結する細幅のベルト部としてもよい。
【００２３】
さらに、前記足甲部には、足甲表側から土踏まず部分にかけてバンド状に配置され、かつ、横方向（足の幅方向）の緊締力を大とするような足甲パワー部を設けてもよい。該足甲パワー部は足甲表を中心に左右両端を足裏側に巻きつけ、土踏まずの一部を覆うように断面Ｃ字のバンド状としてもよい。
即ち、前記足裏高パワー部、前記足裏低パワー部、前記踵側高パワー部は、指側と踵側とを引き寄せあうことにより土踏まずをドーム形状とするものであり、そこに、土踏まずを直接締め付ける前記足甲パワー部を加えることにより、土踏まずの扁平化を一層効果的に防ぐことができる。
なお、本発明は、靴下のほか、サポータやタイツ、ストッキングにも適用できる。
【発明の効果】
【００２４】
上述したように、本発明の足コンディショニングウエアを着用するだけで、足裏高パワー部と足裏低パワー部とにより、足裏の縦アーチと横アーチが同時に形成され、土踏まずのドーム形状を形成、維持できるため、靴のクッション機能に頼ることなく、地面を蹴って前進する駆動性と、体重を分散して衝撃を吸収する緩衝性という足の機能を発揮させ、歩き易く疲れ難い状態を長時間維持することができる。
【発明を実施するための最良の形態】
【００２５】
以下、本発明の実施形態を図面を参照して説明する。
図１乃至図３は本発明の第一実施形態に係る指つきソックス１０−１を示す。
第一実施形態は、ソックス編機で編成して全体を編地で構成し、足甲表を覆う足表部１２と足甲裏を覆う足裏部１３とを筒状に連続させてなる足甲部１１と、該足甲部１１に連続して足首周りを筒状に被覆する足首部１４と、該足甲部１１のつま先の各指を個別に覆う指袋１５（１５ａ〜１５ｅ）と、前記足甲部１１および前記足首部１４に連続して踵を覆う踵部１６とを備えている。足首部１４の上端開口縁は、二重に折り返して伸縮性を有する口ゴム部１７を形成している。
前記各指袋１５ａ〜１５ｅと隣接する各指袋１５ａ〜１５ｅの結合部、即ち、各指袋１５ａ〜１５ｅ間の付け根の指股部を指間係止部２０ａ〜２０ｄとしている。
【００２６】
前記足裏部１３には、緊締力の大きい足裏高パワー部２１と足裏高パワー部よりも小さい緊締力の足裏低パワー部２２を設けている。
前記足裏高パワー部２１は、指間係止部２０ａ〜２０ｄとリング・トウ部２５を隔てた位置にそれぞれ連続して足裏中央部を越えて踵側にかけて配置される５本の分割高パワー部２１ａ〜２１ｅより構成し、該分割高パワー部の間に分割低パワー部２２ａ〜２２ｄが交互に配置している。
【００２７】
詳しくは、５本の分割高パワー部２１ａ〜２１ｅは、２１ａは親指の内側から、２１ｂ〜２１ｅは各指間部に対応する位置から、互いの間隔が平行な直線状で縦方向（足の長さ方向）に配置し、縦方向の緊締力を大としている。４本の分割低パワー部２２ａ〜２２ｅは、前記分割高パワー部２１ａ〜２１ｄの間で且つ各指位置に対応する位置に平行な直線状で縦方向に延在している。
【００２８】
前記足首甲部１２から足裏部１３および足首部１４にかけては、緊締力の大きい踵側高パワー部２３を設けている。前記踵側高パワー部２３は、下側の前記足裏部へとＹ字状に分岐して連続する第一部分２３ａと足首甲部の左右両側から踵を挟む第二部分２３ｂとからなる。
また、足裏高パワー部２１と足裏低パワー部２２の踵側の先端が、踵側高パワー部２３の第一部分２３ａの踵側端に接する位置として連続させ、踵側高パワー部２２の第一部分２３ａにより分割高パワー部２１ａ〜２１ｅに踵側への引張力を付与する構成としている。
【００２９】
前記ソックス１０−１は、表糸（綿糸  綿番手３２／１）、裏糸（４０デニールのポリウレタン糸を１４０デニールナイロン糸でシングルカバリングした糸）、弾性糸（２６０デニールのポリウレタン糸を７５デニールのポリエステル糸でダブルカバリングした糸）の３種類の糸を用いて全体を編成している。
【００３０】
ソックス１０−１において、図４に示す各部の編み組織は、図５（Ａ）〜（Ｃ）に示す構成としている。
まず、前記指袋１５ａ〜１５ｅからリング・トウ部２５までに相当するＡ部分、踵部１６に相当するＨ部分、足首部に相当するＦ部分および足甲部１２（図示せず）は、図５（Ａ）に示す弾性糸を挿入した平編みで編成している。
分割高パワー部２１ａ〜２１ｅのＢ部分は図５（Ｂ）に示す弾性糸を挿入したタック編み（２×１）で編成し、密度を高めて緊締力を強くしている。
分割高パワー部２１ａ〜２１ｅのＣ部分は足裏中央部の緊締力をさらに強くするため、図５（Ｃ）に示す弾性糸を挿入したタック編み（４×１）で編成している。
【００３１】
前記各分割低パワー部２２ａ〜２２ｄは、弾性糸を針で飛ばした平編みで編成して、分割高パワー部２１ａ〜２１ｅよりも緊締力を小さくしている。
前記踵側高パワー部２２の第一部分２２ａに相当するＤ部分及び第二部分２２ｂに相当するＥ部分は、図５（Ｂ）に示す弾性糸を挿入したタック編み（２×１）で編成して緊締力を強化している。口ゴム部１７に相当するＧ部分はタック編み（２×１）で編成している。
【００３２】
前記分割足裏高パワー部２１ａ〜２１ｅの緊締力は４．８５〜５．５Ｎ、分割足裏低パワー部２２ａ〜２２ｄの緊締力は３．６７〜４．１６Ｎとし、これら分割高パワー部と足裏分割低パワー部の緊締力の差が生じるようにして編地を設計している。
なお、本実施形態では比較的高いサポート力が必要とされるスポーツタイプの足コンディショニングウエアとしているため、前記足裏高パワー部と足裏低パワー部とを前記のように設定している。
【００３３】
前記各分割高パワー部２１ａ〜２１ｅの緊締力、各分割低パワー部２２ａ〜２２ｄの緊締力は、下記の方法で評価している。
即ち、評価対象とする分割高パワー部２１ａ〜２１ｅ、分割低パワー部２２ａ〜２２ｄのラインが中心となるように７６ｍｍ×７６ｍｍの正方形状に試験片を切り取り、支持枠（内側の１辺２６ｍｍ×２６ｍｍ、外側の１辺５２ｍｍ×５２ｍｍの回字状の枠）に該ラインが中心となるように貼り付け、中央部を空間としたアルミニウム製の台座上に配置する。
手動式簡易試験スタンド（日本電産シンポ（株）製  ＦＧＸ−５Ｓ）に設置したデジタルフォースゲージ（日本電産シンポ（株）製  ＦＧＸ−１）に押し治具（φ７ｍｍの球形；ＳＲ７）を取付け、該押し治具の先端を計測箇所に接触させる。その後、押し治具の先端をさらに圧接させて２．８ｃｍ下方まで押し下げてから３０秒経過後にデジタルフォースゲージの示す値（Ｎ）を読み取る。
計測は同一箇所につき計４回行い、その平均値で評価する。
なお、試験によって生じた生地の伸びをできるだけ回復させるため、各計測は最低４時間の間隔を空けて行なった。
【００３４】
前記構成のソックス１０−１は、足に着用されたときに、図１（Ａ）（Ｂ）（Ｃ）に示すように、踵側高パワー部２３が踵の後ろ側に引っ掛かると共に、該踵側高パワー部２３の帯状部２３ｂの緊締力が足裏高パワー部２１の各足裏分割高パワー部２１ａ〜２１ｄを介して各指間係止部２０ａ〜２０ｄへ効率よく伝わり、該指間係止部２０ａ〜２０ｄを踵側へと引っ張る。このとき、指間係止部２０ａ〜２０ｄが、図２および図３に示すように、各指股に突き当たって係止され、その指股を踵側へと引き寄せることにより、足裏の縦アーチＡを形成することができる。
【００３５】
また、分割高パワー部２１ａ〜２１ｅと分割低パワー部２２ａ〜２２ｄの緊締力の差異により、親指と第２指（人差し指）の間の指間部に係止された指間係止部２０ａは内側に、小指と薬指の間の指股に係止された指間係止部２０ｄも内側へと引っ張られる。これにより、図３に示すように、内側の指（親指）と外側の指（小指）とが近づけられ、横アーチＢも同時に形成される。
【００３６】
さらに、図１（Ｂ）の矢印Ｙに示すように、踵側高パワー部２３の第一部分２３ａと第二部分２３ｂとで形成されるＹ字型サポートラインにより、踵および足首の良好な角度を保つことができ、着地時の足首のぐらつきを軽減できる。
【００３７】
従って、ソックス１０−１を履くだけで、足裏の形状が、親指の付け根、小指の付け根、踵の３点を結ぶ三角ドームの天井のような形状となり、土踏まずの扁平化を防止できるうえ、踵から足首にかけての安定性も高まるため、歩き易く、疲れ難い状態を長時間維持することができる。また、従来のサポータよりも美観に優れるうえ、靴のクッション機能に頼る必要がないため、多種多様に靴を選び、着用することができる。
【００３８】
図６は本発明の第一実施形態の変形例１を示す。
第一実施形態の分割低パワー部２２ａ〜２２ｄに加えて、小指に連続する縦方向に分割低パワー部２１ｅを設けている。これにより、親指と小指の両端の指をさらに強く引き寄せることができるため、横アーチを形成しやすくなる。
【００３９】
図７（Ａ）（Ｂ）（Ｃ）は本発明の第二実施形態を示す。
本実施形態のソックス１０−１は、第一実施形態に係るソックス１０−１の足裏高パワー部２１の分割高パワー部２１ａ〜２１ｄを、足指の付け根位置である指間係止部２０ａ〜２０ｄから配置している。分割低パワー部２２ａ〜２２ｅは各指１５ａ〜１５ｅに連続する縦方向に互いに平行に５本設け、そのうち分割低パワー部２２ｂ〜２２ｄは分割高パワー部２１ａ〜２１ｄの間に交互に３本配置している。
【００４０】
第二実施形態においては、分割高パワー部２１ａ〜２１ｄを指間係止部２０ａ〜２０ｄから配置しているので、分割高パワー部２１ａ〜２１ｄの効果が指間係止部２０ａ〜２０ｄにさらに効率良く伝えられる。これにより、各指股に係止された指間係止部２０ａ〜２０ｄが指の付け根全体を踵側へと引き寄せ、足裏の縦アーチＡと横アーチＢを形成することができる。
なお、第二実施形態では踵側高パワー部２３を設けていないが、踵側高パワー部２３を設けることにより、踵から足首にかけての安定性を高めた構成とすることができる。
【００４１】
第二実施形態のソックス１０−１は、表糸と裏糸を編み合わせた平編みで全体を編成し、前記足裏高パワー部２１の各分割高パワー部２１ａ〜２１ｄのみタック編み（２×１）で編成して、編み組織の密度を高めて緊締力を大きくしている。表糸には無撚綿糸を芯糸にして、綿糸を巻きつけたシングルカバリング糸を用い、裏糸にはポリウレタン弾性糸にナイロンやポリエステルの長繊維を絡めたＦＴＹ糸を２本用いている。
【００４２】
なお、本発明は前記実施形態の５本指の指付きソックスに限定されない。
例えば、２本指、３本指の指付きソックス、つま先から踵までを覆うソックス、タイツやストッキング等にも適用することもできる。また、つま先から踵までを覆うとともに、全足指間で、前記足表部と前記足裏部とを直接縫着して前記指間係止部を形成する構成としてもよい。さらに、全足指と踵を露出するサポータタイプとして、前記指間係止部は、足指間を通って足表部と足裏部とを連結する細幅のベルト部とすることもできる。
また、足裏高パワー部は前記実施形態のように分割せずに広幅の一つの緊締部で構成してもよい。かつ、足甲パワー部などの他のパワー部を形成してさらにサポート力を高めてもよい。
【図面の簡単な説明】
【００４３】
【図１】本発明の第一実施形態に係るソックスを示し、（Ａ）は足裏側を示す下面図、（Ｂ）は斜視図、（Ｃ）は足首後ろ側を示す背面図である。
【図２】図１に示すソックスを着用した状態を側面から見た説明図である。
【図３】図１に示すソックスを着用した状態を正面から見た説明図である。
【図４】図１に示すソックスの編み組織を説明するための図である。
【図５】図４に示すソックスの（Ａ）弾性糸入りの平編みの組織図、（Ｂ）弾性糸入りのタック編み（２×１）の組織図、（Ｃ）弾性糸入りのタック編み（４×１）の組織図である。
【図６】第一実施形態に係るソックスの変形例１を示し、（Ａ）は足裏を示す下面図、（Ｂ）は斜視図、（Ｃ）は足首後ろ側を示す背面図である。
【図７】第二実施形態にかかるソックスを示し、（Ａ）は足裏側を示す下面図であり、（Ｂ）は斜視図である。
【図８】（Ａ）（Ｂ）は健康的な足のアーチの状態を示す図である。
【図９】従来例の図である。
【図１０】他の従来例の図である。
【符号の説明】
【００４４】
１０−１  指付きソックス
１１  足甲部
１２  足表部
１３  足裏部
１４  足首部
１５  指袋
２０ａ〜２０ｄ  指間係止部
２１  足裏高パワー部
２１ａ〜２１ｆ  分割高パワー部
２２  足裏低パワー部
２２ａ〜２２ｅ  分割低パワー部
２３  踵側高パワー部
２３ａ  第一部分
２３ｂ  第二部分
２４  低パワー部
２５  リング・トウ部
Ａ  縦アーチ
Ｂ  横アーチ
Ｙ  Ｙ字型サポートライン
【図１】
0004690931.tif 000002
【図２】
0004690931.tif 000003
【図３】
0004690931.tif 000004
【図４】
0004690931.tif 000005
【図５】
0004690931.tif 000006
【図６】
0004690931.tif 000007
【図７】
0004690931.tif 000008
【図８】
0004690931.tif 000009
【図９】
0004690931.tif 000010
【図１０】
0004690931.tif 000011